【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
光電変換部、電荷電圧変換部、前記光電変換部で発生した電荷を前記電荷電圧変換部へ転送する転送部、及び前記電荷電圧変換部の電圧に応じた信号を出力する出力部をそれぞれ含む複数の画素が２次元状に配列された画素配列と、前記画素配列からの信号を増幅する複数の列増幅部と、を備え、
前記列増幅部は、入力容量部と、帰還容量部とを含み、
前記画素配列の各列は、前記出力部が第１の信号線に信号をそれぞれ出力する複数の第１の画素と、前記出力部が第２の信号線に信号をそれぞれ出力する複数の第２の画素と、を含み、
前記列増幅部は、前記入力容量部の容量値と前記帰還容量部の容量値との比に応じて信号の増幅を行うように構成され、かつ、前記第１の信号線を介して伝達された信号と前記第２の信号線を介して伝達された信号との和を増幅する第１のモードにおける前記帰還容量部の容量値を、前記第１の信号線を介して伝達された信号と前記第２の信号線を介して伝達された信号とを異なるタイミングで増幅する第２のモードにおける前記帰還容量部の容量値より小さくする
ことを特徴とする撮像装置。
【請求項２】
前記列増幅部は、第１の入力端子と、参照電圧が供給される第２の入力端子と出力端子とを有する差動増幅器と、前記第１のモードにおける前記帰還容量部の容量値が前記第２のモードにおける前記帰還容量部の容量値より小さくなるように、前記帰還容量部の容量値を切り替える切り替え部と、をさらに含み、
前記帰還容量部及び前記切り替え部は、前記差動増幅器の前記出力端子と前記第１の入力端子との間に配されている
ことを特徴とする請求項１に記載の撮像装置。
【請求項３】
前記列増幅部は、前記第１のモードにおける信号の増幅率が前記第２のモードにおける信号の増幅率に等しくなるように、前記帰還容量部の容量値を切り替える
ことを特徴とする請求項２に記載の撮像装置。
【請求項４】
前記入力容量部は、
少なくとも前記第１の信号線を介して伝達された信号を受ける第１の電極と前記差動増幅器の前記第１の入力端子に接続された第２の電極とを有する第１の入力容量と、
少なくとも前記第２の信号線を介して伝達された信号を受ける第３の電極と前記差動増幅器の前記第１の入力端子に接続された第４の電極とを有する第２の入力容量と、
前記第１のモードにおいて前記第１の電極と前記第３の電極とを遮断するようにオフし、前記第２のモードにおいて前記第１の電極と前記第３の電極とを接続するようにオンする第１のスイッチと、を含む
ことを特徴とする請求項２又は３に記載の撮像装置。
【請求項５】
前記帰還容量部は、第５の電極と第６の電極とを有し、前記第５の電極が前記差動増幅器の前記第１の入力端子の側に配され、前記第６の電極が前記差動増幅器の前記出力端子の側に配された第３の容量と、第７の電極と第８の電極とを有し、前記第７の電極が前記差動増幅器の前記第１の入力端子の側に配され、前記第８の電極が前記差動増幅器の前記出力端子の側に配された第４の容量と、を含み、
前記切り替え部は、前記第１のモードにおいて、前記第４の容量における前記第７の電極が前記差動増幅器の前記第１の入力端子に接続され前記第８の電極が前記差動増幅器の前記出力端子に接続され前記第３の容量における前記第５の電極が前記差動増幅器の前記第１の入力端子から遮断され又は前記第６の電極が前記差動増幅器の前記出力端子から遮断された第１の状態に切り替え、前記第２のモードにおいて、前記第３の容量における前記第５の電極が前記差動増幅器の前記第１の入力端子に接続され前記第６の電極が前記差動増幅器の前記出力端子に接続され前記第４の容量における前記第７の電極が前記差動増幅器の前記第１の入力端子から遮断され又は前記第８の電極が前記差動増幅器の前記出力端子から遮断された第２の状態に切り替え、
前記第４の容量の容量値は、前記第３の容量の容量値より小さい
ことを特徴とする請求項２から４のいずれか１項に記載の撮像装置。
【請求項６】
前記帰還容量部は、第９の電極と第１０の電極とをそれぞれ有し、前記第９の電極が前記差動増幅器の前記第１の入力端子の側にそれぞれ配され、前記第１０の電極が前記差動増幅器の前記出力端子の側にそれぞれ配された複数の第５の容量を含み、
前記切り替え部は、前記第５の容量における前記第９の電極が前記差動増幅器の前記第１の入力端子に接続され前記第１０の電極が前記差動増幅器の前記出力端子に接続された第３の状態と、前記第５の容量における前記第９の電極が前記差動増幅器の前記第１の入力端子から遮断され又は前記第１０の電極が前記差動増幅器の前記出力端子から遮断された第４の状態とのいずれかに、それぞれ切り替える複数の第２のスイッチを含み、
前記切り替え部では、前記第１のモードにおける前記第３の状態に切り替える前記第２のスイッチの数が前記第２のモードにおける前記第３の状態に切り替える前記第２のスイッチの数より少ない
ことを特徴とする請求項２から４のいずれか１項に記載の撮像装置。
【請求項７】
前記画素配列の各列では、前記第１の画素と前記第２の画素とが列に沿った方向に交互に配列されており、
前記第１のモードは、インターレース動作モードであり、
前記第２のモードは、プログレッシブ動作モードである
ことを特徴とする請求項１から６のいずれか１項に記載の撮像装置。
【請求項８】
前記第１のモードで、前記画素配列の各列において、前記第１の画素から前記第１の信号線を介して前記列増幅部へ信号が伝達される第１の動作と前記第２の画素から前記第２の信号線を介して前記列増幅部へ信号が伝達される第２の動作とが並行して行われるとともに、前記第２のモードで、前記画素配列の各列において前記第１の動作と前記第２の動作とが異なるタイミングで行われるように、前記画素配列を駆動する駆動部をさらに備えた
ことを特徴とする請求項１から７のいずれか１項に記載の撮像装置。
【請求項９】
請求項１から８のいずれか１項に記載の撮像装置と、
前記撮像装置の撮像面へ像を形成する光学系と、
前記撮像装置から出力された信号を処理して画像データを生成する信号処理部と、
を備えたことを特徴とする撮像システム。
【請求項１０】
撮像装置の駆動方法であって、
前記撮像装置は、光電変換部、電荷電圧変換部、前記光電変換部で発生した電荷を前記電荷電圧変換部へ転送する転送部、及び前記電荷電圧変換部の電圧に応じた信号を出力する出力部をそれぞれ含む複数の画素が２次元状に配列された画素配列と、前記画素配列からの信号を増幅する複数の列増幅部と、を備え、前記列増幅部は、入力容量部及び帰還容量部を含み、前記入力容量部の容量値と前記帰還容量部の容量値との比に応じて信号を増幅し、前記画素配列の各列は、前記出力部が第１の信号線に信号をそれぞれ出力する複数の第１の画素と、前記出力部が第２の信号線に信号をそれぞれ出力する複数の第２の画素と、を含み、
前記撮像装置の駆動方法は、第１のモードにおいては、前記第１の信号線を介して伝達された信号と前記第２の信号線を介して伝達された信号との和を増幅し、第２のモードにおいては、前記第１の信号線を介して伝達された信号と前記第２の信号線を介して伝達された信号とを異なるタイミングで増幅し、
前記第１のモードにおける前記帰還容量部の容量値は、前記第２のモードにおける前記帰還容量部の容量値よりも小さい、
ことを特徴とする撮像装置の駆動方法。
【手続補正２】
【補正対象書類名】明細書
【補正対象項目名】００１１
【補正方法】変更
【補正の内容】
【００１１】
本発明の第１側面に係る撮像装置は、光電変換部、電荷電圧変換部、前記光電変換部で発生した電荷を前記電荷電圧変換部へ転送する転送部、及び前記電荷電圧変換部の電圧に応じた信号を出力する出力部をそれぞれ含む複数の画素が２次元状に配列された画素配列と、前記画素配列からの信号を増幅する複数の列増幅部と、を備え、前記列増幅部は、入力容量部と、帰還容量部と、を含み、前記画素配列の各列は、前記出力部が第１の信号線に信号をそれぞれ出力する複数の第１の画素と、前記出力部が第２の信号線に信号をそれぞれ出力する複数の第２の画素と、を含み、前記列増幅部は、前記入力容量部の容量値と前記帰還容量部の容量値との比に応じて信号の増幅を行うように構成され、かつ、前記第１の信号線を介して伝達された信号と前記第２の信号線を介して伝達された信号との和を増幅する第１のモードにおける前記帰還容量部の容量値を、前記第１の信号線を介して伝達された信号と前記第２の信号線を介して伝達された信号とを異なるタイミングで増幅する第２のモードにおける前記帰還容量部の容量値より小さくすることを特徴とする。